(57)【要約】【課題】清潔に使用することができるとともに、複数人で連続して使用することができる簡易トイレを提供する。【解決手段】簡易トイレ５０は、便座部９０が配設されている本体フレーム６０と、本体フレーム６０から下方に向かって突き出されている脚部フレーム７７と、を有し、さらに、便座部９０は、本体フレーム６０に接続されているベース部９１と、ベース部９１とは異なる別部材で構成されており、外周縁部９６が前記ベース部に支持されると共に、前記ベース部に対して脱着自在であり、かつ下方に向かって開口した汚物排出口９７が形成されている汚物受け部９５と、汚物受け部９５における外周縁部９６の上部に配置されており、使用者が着座する座部９９と、を有している。【選択図】図１
2017213132.tif 000002
【特許請求の範囲】
【請求項１】
便座部が配設されている本体フレームと、
前記本体フレームの下方に設けられる脚部フレームと、
を有し、
前記便座部は、
前記本体フレームに接続されているベース部と、
前記ベース部とは異なる別部材で構成されており、外周縁部が前記ベース部に支持されると共に、前記ベース部に対して脱着自在であり、かつ下方に向かって開口した汚物排出口が形成されている汚物受け部と、
前記汚物受け部における外周縁部の上部に配置されており、使用者が着座する座部と、
を有していることを特徴とする簡易トイレ。
【請求項２】
前記ベース部の上面部には、前記汚物受け部の少なくとも外周縁部が載置される凹段部が形成されており、前記汚物受け部の少なくとも外周縁部が前記凹段部に載置された状態で、前記ベース部に対して前記汚物受け部が適嵌している
請求項１に記載の簡易トイレ。
【請求項３】
前記ベース部と前記汚物受け部の外周縁部とには、上下方向に貫通したピン挿通用孔が開口しており、前記ピン挿通用孔にピンが挿入されて、前記ベース部と前記汚物受け部とが相互に固定されている
請求項１又は請求項２に記載の簡易トイレ。
【請求項４】
前記汚物受け部は、積み重ね可能な外観形状を有する
請求項１乃至請求項３のいずれか１項に記載の簡易トイレ。
【請求項５】
前記汚物排出口の下側には、既設の配管と連結した連結管部の上流側管端部が接続されている
請求項１乃至請求項４のいずれか１項に記載の簡易トイレ。
【請求項６】
前記汚物排出口の下側には、汚物を貯留する貯留袋が取り付けられている
請求項１乃至請求項４のいずれか１項に記載の簡易トイレ。
【請求項７】
前記本体フレームは、当該本体フレームを折り畳み可能とする折り畳み構造を有している
請求項１乃至請求項６のいずれか１項に記載の簡易トイレ。
【請求項８】
前記脚部フレームは、
前記本体フレームから下方に向かって突き出されており、かつ前記本体フレームに対して突出長さを調整可能とする長さ調整構造を有しており、
前記脚部フレームの突出長さが調整されることで前記便座部の床面からの高さが調整可能である
請求項１乃至請求項７のいずれか１項に記載の簡易トイレ。
【発明の詳細な説明】
【技術分野】
【０００１】
本発明は、簡易トイレに関する。
【背景技術】
【０００２】
例えば地震や大雨による土砂災害時あるいは大きな交通網の寸断や事故等によって使用される避難所において設置される簡易トイレが種々提案されている。
【０００３】
例えば特許文献１には、前後に長い長方形状の座板の中心部に前後に長い便孔を貫通形成し、該便孔に着脱可能に嵌合する蓋を設けるとともに、該蓋を前記便孔の前縁部に上方に向けて回動可能に連結し、前記座板に脚を下方と座板の下面とに向けて起倒可能に連結した折畳み式簡易便座であって、蓋を上方に回動させて便孔を開き、該便孔にフランジ付き容器状の便受けを嵌合させて係止すると、簡易形の便器となり、使用者は開いた蓋側に向かって上記座板に腰かけて用便することができる構成が開示されている。
【先行技術文献】
【特許文献】
【０００４】
【特許文献１】特開２００５−３０４７９６号公報
【発明の概要】
【発明が解決しようとする課題】
【０００５】
しかしながら、特許文献１の折畳み式簡易便座にあっては、フランジ付き容器状の便受けに排泄物が直接貯留されるため、複数人が連続して使用する場合、前の使用者の排泄物が直視できてしまうという問題が生ずる。このため、衛生上の観点や使用者の精神的な負担等を考慮すると、一回の使用ごとに便受けを交換しなければならない。
【０００６】
そこで本発明は、複数人が連続して使用する場合にも清潔に使用することができる簡易トイレを提供することを目的とする。
【課題を解決するための手段】
【０００７】
本発明は、便座部が配設されている本体フレームと、前記本体フレームの下方に設けられる脚部フレームと、を有し、前記便座部は、前記本体フレームに接続されているベース部と、前記ベース部とは異なる別部材で構成されており、外周縁部が前記ベース部に支持されると共に、前記ベース部に対して脱着自在であり、かつ下方に向かって開口した汚物排出口が形成されている汚物受け部と、前記汚物受け部における外周縁部の上部に配置されており、使用者が着座する座部と、を有していることを特徴とする簡易トイレである。
【０００８】
かかる構成にあっては、前記汚物受け部を取り外して洗浄することができるため、汚物受け部を清潔に維持した状態で使用することができる。また、排泄された汚物が前記汚物受け部に形成された汚物排出口から排出されるため、汚物が汚物受け部の下方に隠れて見えにくくなる。したがって、複数人で連続して使用する場合でも、使用者に精神的な負担をかけない利点がある。
【０００９】
また、前記ベース部の上面部には、前記汚物受け部の少なくとも外周縁部が載置される凹段部が形成されており、前記汚物受け部の少なくとも外周縁部が前記凹段部に載置された状態で、前記ベース部に対して前記汚物受け部が適嵌している構成が提案される。
【００１０】
かかる構成にあっては、前記汚物受け部が前記ベース部上で前後左右に位置ずれすることがないため、適切な位置に設置することができる。
【００１１】
また、上記構成にあっては、前記ベース部と前記汚物受け部の外周縁部とには、上下方向に貫通したピン挿通用孔が開口しており、前記ピン挿通用孔にピンが挿入されて、前記ベース部と前記汚物受け部とが相互に固定されていることが望ましい。
【００１２】
かかる構成にあっては、前記汚物受け部を確実に前記ベース部に固定することができる。
【００１３】
また、前記汚物受け部は、積み重ね可能な外観形状を有する構成が提案される。
【００１４】
かかる構成にあっては、多数の汚物受け部を積み重ねてコンパクトに収納しておくことができる。
【００１５】
そして、前記汚物排出口の下側には、既設の配管と連結した連結管部の上流側管端部が接続されている構成が提案される。
【００１６】
かかる構成にあっては、既設の配管を有効利用することができる。
【００１７】
もしくは、前記汚物排出口の下側には、汚物を貯留する貯留袋が取り付けられている構成が提案される。
【００１８】
かかる構成にあっては、前記簡易トイレの設置に手間がかからず、即時に使用することができる。
【００１９】
さらに、前記本体フレームは、当該本体フレームを折り畳み可能とする折り畳み構造を有していることが望ましい。
【００２０】
かかる構成にあっては、通常時には前記簡易トイレを折り畳んでコンパクトに保管しておくことができる。また、便座部の汚物受け部を取り外した状態で簡易トイレを折り畳むことができるため、例えば本体フレームと汚物受け部とが互いに干渉してしまうことを防止できる。
【００２１】
またさらに、前記脚部フレームは、前記本体フレームから下方に向かって突き出されており、かつ前記本体フレームに対して突出長さを調整可能とする長さ調整構造を有しており、前記脚部フレームの突出長さが調整されることで前記便座部の床面からの高さが調整可能であることが望ましい。
【００２２】
かかる構成にあっては、例えば便座を高く設定した大人用と、便座を低く設定した子供用とを並設することができるため、使用者の体格の違いに応じて柔軟に便座の高さを調整することができる。
【図面の簡単な説明】
【００２３】
【図１】簡易トイレの外観斜視図である。
【図２】簡易トイレを下方から示す斜視図である。
【図３】ベース部と汚物受け部との接続構造を示す分解斜視図である。
【図４】折り畳んだ状態の簡易トイレを示す側面図である。
【図５】（ａ）は、簡易トイレ配管システムの概略図であり、（ｂ）は他の構成の簡易トイレ配管システムの概略図である。
【図６】さらに他の簡易トイレ配管システムの概略図である。
【図７】貯留袋を装着した簡易トイレの側面図である。
【図８】他の使用形態を示す簡易トイレの模式図である。
【発明を実施するための形態】
【００２４】
以下、本発明を具体化した実施例を詳細に説明する。なお、本発明は、下記に示す実施例に限定されることはなく、適宜設計変更が可能である。
【００２５】
図１，図２に示すように、簡易トイレ５０は、椅子形状を有しており、便座部９０が配設されている本体フレーム６０を具備している。
【００２６】
本体フレーム６０は、正面視逆Ｕ字状のメインフレーム６１を有し、上部には背あて部６２が配設され、中間部には左右一対の肘掛け部６３，６３が配設されている。なお、肘掛け部６３は上方に向かって跳ね上げ自在に取り付けられている。
【００２７】
また、メインフレーム６１の下部には、メインフレーム６１の下部を連結するリンクパイプ支持バー６５が左右方向に差し渡されている。さらに、リンクパイプ支持バー６５には、リンクパイプ支持バー６５を軸として回動自在な左右一対のリンクパイプ６７，６７の一端が取り付けられている。
【００２８】
また、メインフレーム６１には、メインフレーム６１に軸支される左右一対の後脚フレーム７１，７１が配設されている。そして、左右一対のリンクパイプ６７，６７の他端と後脚フレーム７１，７１の上端部とが左右一対の支持プレート７３，７３を介して回動自在に連結されている。また、左右一対の後脚フレーム７１，７１は後脚連結バー７５を介して連結されている。本実施例においては、後脚連結バー７５は２個設けられている。
【００２９】
さらに、メインフレーム６１の下端及び後脚フレーム７１の各下端からは、それぞれ脚部フレーム７７が下方に向かって突き出されている。
【００３０】
脚部フレーム７７は、メインフレーム６１及び後脚フレーム７１に対して下方への突出長さを調整可能とする長さ調整構造８０を有している。詳述すると、メインフレーム６１及び後脚フレーム７１の各下端は、脚部フレーム７７内に挿入された入れ子状とされている。また、脚部フレーム７７には長さ調整孔８２が複数（３個）設けられており、長さ調整孔８２のいずれかに長さ調整ピン８１が差し入れられることで、脚部フレーム７７を所定の長さで固定することができる。なお、長さ調整ピン８１及び長さ調整孔８２によって長さ調整構造８０が構成されている。
【００３１】
本体フレーム６０に配設されている便座部９０は、本体フレーム６０の支持プレート７３に固定されている中空円盤状のベース部９１を有している。
【００３２】
さらに、便座部９０は、図３に示すように、ベース部９１とは異なる別部材で構成されているじょうご形状の汚物受け部９５を有している。汚物受け部９５は、外周縁部９６がベース部９１に支持されると共に、ベース部９１に対して脱着自在であり、かつ下方に向かって開口した汚物排出口９７（図２参照）が形成されている。
【００３３】
なお、汚物受け部９５は、汚物排出口９７の下方に向けて延出された部分を有するじょうご形状であるため、ベース部９１から取り外した状態で積み重ね可能であり、複数個の汚物受け部９５をコンパクトに収納することが可能である。また、汚物受け部９５を簡易トイレ５０から取り外した上で個別に洗浄することも可能である。
【００３４】
なお、汚物排出口９７（すなわち、汚物受け部９５の下端）は、脚部フレーム７７の下端よりも上方に位置する寸法形状となっている。
【００３５】
また、図１に示すように、汚物受け部９５における外周縁部９６の上部には、使用者が着座する中空円盤状の座部９９が配置されている。座部９９の後部は、ベース部９１に軸支されており、座部９９は上方に向かって回動可能とされている。
【００３６】
ここで、ベース部９１と汚物受け部９５との接続構造について詳述する。図３に示すように、ベース部９１の上面部には、汚物受け部９５の外周縁部９６が載置される凹段部９２が形成されている。そして、ベース部９１の凹段部９２と汚物受け部９５の外周縁部９６とは互いに対応する形状を有しており、ベース部９１に対して汚物受け部９５が適嵌している。
【００３７】
さらに、ベース部９１の凹段部９２及び汚物受け部９５の外周縁部９６には、ベース部９１に対して汚物受け部９５が適嵌した状態で、上下方向に貫通したピン挿通用孔１０１が前側に左右一対、及び後側に左右一対設けられている。そして、ピン挿通用孔１０１には、それぞれピン１０２が挿入されて、ベース部９１と汚物受け部９５とが相互に固定可能となっている。
【００３８】
詳述すると、ピン挿通用孔１０１は略長方形形状を有しており、ピン１０２はピン挿通用孔１０１に挿入可能な形状を有した挿入部１０３と、円柱状の芯部１０４と、摘み部１０５と、を有している。そして、ピン１０２の挿入部１０３をピン挿通用孔１０１に上側から挿入した後、摘み部１０５を摘んで回動させると、挿入部１０３はピン挿通用孔１０１から抜脱不可能となり、これによってベース部９１と汚物受け部９６とを相互に固定することができる。
【００３９】
また、本体フレーム６０には、折り畳み構造１１０が設けられている。以下に折り畳み構造１１０について詳述する。
【００４０】
左右一対の後脚フレーム７１，７１の上部には、後側に向かって開口したロックピン挿通孔１１１がそれぞれ設けられている。また、便座部９０のベース部９１における下側後部には、ロックピン挿通孔１１１に挿通される左右一対のロックピン１１２，１１２がロックベルト１１３を介して連結されている。なお、ロックピン１１２はバネによって前方へ付勢されてロックピン挿通孔１１１に挿通されている（図２参照）。
【００４１】
そして、ロックベルト１１３を後方へ引っ張ると、ロックピン１１２がロックピン挿通孔１１１から抜脱し、便座部９０が固定されている支持プレート７３と、メインフレーム６１と、リンクパイプ６７と、後脚フレーム７１とがそれぞれリンクして左右方向を軸として回動し、図４に示すように起立状態を維持したままコンパクトに折り畳むことができる。
【００４２】
簡易トイレ５０を折り畳む際には、汚物受け部９５を取り外して折り畳むことで、非常にコンパクトに収納することができる。この際、汚物受け部９５が本体フレーム６０と干渉することがないので、限られたスペースに可能な限り多数の簡易トイレ５０を収納することができる。
【００４３】
本実施例においては、支持プレート７３、メインフレーム６１、リンクパイプ６７、及び後脚フレーム７１のリンク構造と、ロックピン挿通孔１１１と、ロックピン１１２と、ロックベルト１１３とによって折り畳み構造１１０が構成されている。
【００４４】
上記した簡易トイレ５０は、例えば既設の配管と連結した連結管部の上流側管端部が接続されることによって、簡易トイレ配管システムを構築することができる。
【００４５】
図５に示すように、簡易トイレ５０を設置した場合には、簡易トイレ５０から排出される汚物を、地中に埋設された既設の配管５に導入する簡易トイレ配管システム１Ａを構築することが提案される。
【００４６】
以下、簡易トイレ配管システム１Ａについて説明する。
図５（ａ）に示すように、簡易トイレ５０に設けられた汚物排出口９７の下側には、汚物を含む汚水を既設の配管５に案内する連結管部１０が接続されている。
【００４７】
すなわち、汚物排出口９７の下側には、連結管部１０における上流側管端部１１が接続されている。上流側管端部１１は、上方に向かって開口しており、上下方向に伸縮自在でかつ左右方向にも撓むことができる可撓性管部１１ａが備えられている。なお、可撓性管部１１ａは、蛇腹管で構成されることが好ましいが、公知のゴムホース等で構成してもよい。
【００４８】
ここで、簡易トイレ５０は、脚部フレーム７７（図１参照）を位置調整して便座高さを調整することができるところ、このように便座の高さを変更した場合、可撓性管部１１ａが汚物排出口９７の上下移動に追従して伸縮可能である。このため、簡易トイレ５０の高さを調整するたびに連結管部１０の配管の位置を修正する必要はない。
【００４９】
なお、可撓性管部１１ａの内周面の底部は、下流側に向かって下方傾斜する下方傾斜面、及び水平面のみで構成されている。これにより、可撓性管部１１ａ内で汚物が滞留してしまうことを抑制できる。
【００５０】
ところで、上流側管端部１１の開口径は、簡易トイレ５０の汚物排出口９７の開口径よりも大とされており、上流側管端部１１内に汚物排出口９７（すなわち、汚物受け部９５の下端）が挿入された状態で、図示しないテープによって外部に配管内の臭気が漏出しないように閉塞される。上述のとおり、汚物排出口９７は、脚部フレーム７７の下端よりも上方に位置しているため、連結管部１０を汚物排出口９７（すなわち、汚物受け部９５の下端）と床面との間に生じた隙間に配置することができ、連結管部１０を地面に埋設するといった余計な手間をかける必要がない。また、この隙間は、管路を構築する際の施工スペースとしても機能することになり、作業性が向上する。
【００５１】
また、可撓性管部１１ａには、汚水を既設の配管５に案内するためのエルボ管１４が接続され、エルボ管１４にはさらに、上流側直管１６が接続されている。
【００５２】
なお、可撓性管部１１ａを含む上流側管端部１１、エルボ管１４、及び上流側直管１６によって連結管部１０が構成されている。なお、上流側直管１６や既設の配管５の接続構造の詳細は後述する。
【００５３】
上述した構成にあっては、汚物の排出先として既設の配管５を利用するので、専門業者でなくても簡易トイレ５０を容易に設置することができる。また、上記構成は、連結管部１０の上流側管端部及び下流側管端部における各管軸が、共に上下方向に沿っており、かつ互いに偏芯した位置に配置されている。このため、汚物排出口９７より先の管の内部が使用者側から直接視認しにくくなる。したがって、汚物が見えにくくなり、使用者に与える不快感を低減することができる。
【００５４】
また、エルボ管１４と上流側直管１６とを使用せずに、図５（ｂ）に示すような態様で簡易トイレ配管システム１Ｂを構築してもよい。かかる構成にあっては、可撓性管部１１ａの上流側管端部の管軸と下流側管端部の管軸とが共に上下方向に沿っており、しかも可撓性管部１１ａの内周面の底部が下方傾斜面で構成されているため、汚物が可撓性管部１１ａ内で留まることなくなだらかに流下する。
【００５５】
さらに、簡易トイレ配管システム１Ｂにあっては、便座部９０が高さ調整された場合に、可撓性管部１１ａ全体が自在に湾曲して汚物排出口９７の高さ位置の変動に追従することができる。
【００５６】
次に、図６に従って、簡易トイレ配管システム１Ｃについて説明する。上記した簡易トイレ配管システム１Ａ，１Ｂと同様な内容は適宜説明を省略する。
【００５７】
簡易トイレ５０に設けられた汚物排出口９７の下側には、連結管部１０が接続されている。
【００５８】
すなわち、汚物排出口９７の下側には、連結管部１０における上流側管端部１１が接続されている。上流側管端部１１は、可撓性管部１１ａと、可撓性管部１１ａの下側に接続されたエルボ管１１ｂとが備えられている。なお、可撓性管部１１ａは、公知のゴムホースや蛇腹管等で構成することができる。特に、可撓性管部１１ａは、簡易トイレ５０が水平方向に沿って位置変更した場合に追従できるような可撓性を有する部材であればよく、また便座部９０の高さが変更される場合にはこれに追従できる可撓性を有する部材であればよい。
【００５９】
また、エルボ管１１ｂには、汚物を既設の配管５に案内するための直管１３が接続されている。直管１３の他端には下向きにエルボ管１４が接続され、エルボ管１４にはさらに、上流側直管１６が接続されている。
【００６０】
可撓性管部１１ａとエルボ管１１ｂとを含む上流側管端部１１、直管１３、エルボ管１４、及び上流側直管１６によって連結管部１０が構成されている。
【００６１】
一方、既設の配管５には、立管８が接続されており、立管８の上端に点検口７Ａが形成されている。さらに、点検口７Ａには、蓋枠２０Ａが装着されており、蓋枠２０Ａには、管体を主体とする新規取付部材としての継手（隠れて見えない）が取り付けられている。なお、蓋枠２０Ａは、本来、蓋枠２０Ａの開口２１Ａを閉塞する蓋が脱着自在に取り付けられていたものである。そして、エルボ管１４と継手の上流側管端とが上流側直管１６によって接続されている。
【００６２】
上記構成により、簡易トイレ５０から排出された汚物は、連結管部１０を通って既設の配管５内に導入される。なお、配管５には、立管８が接続される既設の排水ますや、該排水ますに接続されている既設の管材が含まれる。
【００６３】
次に、簡易トイレ配管システム１Ｃの施工手順を説明する。
簡易トイレ５０が設置される前は、既設の配管５の点検口７Ａは蓋枠２０Ａに脱着自在に取り付けられた蓋によって完全に遮蔽されている。そして、簡易トイレ５０を新規に設置することに伴い、蓋を蓋枠２０Ａから取り外す。
【００６４】
そして、蓋が取り外された蓋枠２０Ａに、継手を取り付け、継手の上端に、エルボ管１４が接続された上流側直管１６を接続する。
【００６５】
そして、上述した工程により、簡易トイレ配管システム１Ｃが構築される。
【００６６】
これまでに述べた排水配管方法は、簡易トイレ５０を設置するために点検口７Ａ周囲の地面を掘削する等の工程が不要となるため、迅速に簡易トイレを使用可能状態とすることができる。しかも、点検口７Ａから離れた位置に簡易トイレ５０を設置することが可能であるため、簡易トイレ５０の設置位置の自由度が格段に向上する。また、仮に簡易トイレ５０が不要となって簡易トイレ配管システム１Ｃを撤去することになったとしても、再度地面を掘削する必要もなく、不要となった継手３０Ａ等を取り除いた後、元の蓋を取り付け直せば、元の構造に容易に回復することができる。なお、各管材の取付順序は、施工現場の状況によって適宜変更することが可能である。また、各管材を使用する際には、施工現場の状況に応じて当該施工現場で適正な長さに切断して使用することができる。なお、既設の配管５は、通常時に排水を排出する配管であって、専門業者等によって工事が必要な配管であればよい。したがって、地中に埋設された配管だけでなく、屋内にて床下に設けられた配管なども含み、この意味で、本発明にかかる簡易トイレ５０は、屋外でも屋内でも区別なく利用することができる。例えば、既設の配管５の上流側には、屋内配管が接続されていたり、独立した配管等が接続されていたりしており、本発明にかかる簡易トイレ５０を使用する際には、既に施工済みである配管が既設の配管に相当する。
【００６７】
また、図７に示すように、簡易トイレ５０の汚物排出口９７の下側には、汚物を貯留する貯留袋１２０が取り付けられてもよい。
【００６８】
かかる構成にあっては、簡易トイレ５０を使用した際に、汚物は汚物受け部９５に滞留することなく、汚物排出口９７から貯留袋１２０に導入されて貯留されることとなる。したがって複数人が連続して使用しても前に使用した者の排泄物を直視することがなくなり、安心して連続使用することができる。当然、貯留袋１２０は定期的に交換することが望ましい。
【００６９】
さらに、図８に示すように、貯留袋１３０を、汚物受け部９５上に配置し、貯留袋１３０の開口縁部を汚物受け部９５と座部９９との間に挟持して使用するようにしてもよい。かかる構成とすることにより、既設の配管５に接続する前段階でも簡易トイレ５０が使用可能となる。
【００７０】
上記実施例において、各部の寸法形状は適宜自由に選択可能である。例えば長さ調整構造８０や折り畳み構造１１０は上記以外の構成であっても構わない。また、簡易トイレ５０は、通常に使用するトイレが使用できない状況において使用者等が自ら組み立てることで使用可能となる構成であれば、他の構成であってもよい。汚物受け部９５の形状も下方に向かって開口し、汚物を簡易トイレ５０から排出させるための開口部であって使用者側の開口面に形成されている汚物排出口９７が設けられていればじょうご形状である必要はないが、トイレとして使用すること、又は積み重ね可能な外観形状を有すること等から、便座と対向する方向に向けて設けられたじょうご形状であることが望ましい。また、本発明の簡易トイレ５０は、背あて部６２と肘掛け部６３とがなくてもよい。したがって、簡易トイレ５０の基本構成が折り畳み椅子であってもよいし、他の構成の椅子であってもよい。また、例えば通函のような折り畳み箱を基本構成としていてもよい。また、連結管部１０は、簡易トイレ５０を設置する際に新規に取り付けられる部材でもよいし、あらかじめ出荷時から簡易トイレ５０に接続されている部材であってもよい。また、前記脚部フレーム７７は、これまでに述べた構成に代えて、本体フレーム６０の下方に設けられた台座形状であってもよい。
【００７１】
当然のことであるが、簡易トイレ５０を設置する場合、外部から視認できないように囲う周壁、あるいはパーティション等を設けることが望ましい。
【００７２】
また、簡易トイレ５０を連結管部１０によって既設の配管５と接続する場合、１個の連結管部１０で１個の点検口７Ａを使用する構成に加えて、複数の流入口を有する集合管を用いて、複数の流入口に複数の連結管部１０を接続し、複数の簡易トイレ５０から１個の点検口７Ａを介して既設の配管５に汚水を案内する構成であっても構わない。この場合さらに、既設の配管５に替えて１個の貯留袋１２０を用い、貯留袋１２０に複数の簡易トイレ５０から排出される汚水が案内される構成であってもよい。このように簡易トイレ５０を隣接して複数配置することが容易であるため、多くの人が使用することが想定される場所において柔軟かつ清潔に活用することができる。
【符号の説明】
【００７３】
５                        既設の配管
１０                      連結管部
１１ａ                    可撓性管部
５０                      簡易トイレ
６０                      本体フレーム
７７                      脚部フレーム
８０                      長さ調整構造
９０                      便座部
９１                      ベース部
９５                      汚物受け部
９７                      汚物排出口
９９                      座部
１１０                    折り畳み構造
【図１】
2017213132.tif 000003
【図２】
2017213132.tif 000004
【図３】
2017213132.tif 000005
【図４】
2017213132.tif 000006
【図５】
2017213132.tif 000007
【図６】
2017213132.tif 000008
【図７】
2017213132.tif 000009
【図８】
2017213132.tif 000010